(57)【特許請求の範囲】
【請求項１】
無線接続システムにおいて端末が基地局からグループ端末のためのマルチキャストサービスを受信する方法であって、
前記端末が、前記基地局から、一つ以上の第１識別子を含むブロードキャストメッセージを受信するステップであって、前記一つ以上の第１識別子のそれぞれは、前記基地局に割り当てられた１つのグループゾーンを識別するステップと、
前記端末が、前記一つ以上の第１識別子にインデックスを順次に割り当てるステップと、
前記端末が、前記基地局から、前記マルチキャストサービスを識別する第２識別子及び前記インデックスに基づいてマルチキャストデータを受信するステップと、
を含むことを特徴とする方法。
【請求項２】
前記ブロードキャストメッセージは、ＤＬチャネル記述子（ＤＣＤ）メッセージ又はＡＡＩ−システム構成記述子（ＳＣＤ）メッセージである、請求項１に記載の方法。
【請求項３】
前記インデックスを順次に割り当てるステップは、前記基地局に割り当てられたグループゾーンの数だけ前記一つ以上の第１識別子に前記インデックスを反復して割り当てるステップを含む、請求項１に記載の方法。
【請求項４】
前記基地局に割り当てられたグループゾーンの数は４である、請求項３に記載の方法。
【請求項５】
前記基地局に割り当てられたグループゾーンの数は、前記ブロードキャストメッセージから獲得される、請求項３に記載の方法。
【請求項６】
前記マルチキャストサービスを識別する前記第２識別子は、初期ネットワークエントリー後に、ＤＳＡ過程により前記マルチキャストサービスに割り当てられる、請求項１に記載の方法。
【請求項７】
前記一つ以上の第１識別子のそれぞれは、Ｍ２ＭグループゾーンＩＤであり、前記第２識別子は、ＭＧＩＤである、請求項１に記載の方法。
【請求項８】
前記インデックスは、前記基地局に対して特定される、請求項１に記載の方法。
【請求項９】
無線接続システムにおいて基地局からグループ端末のためのマルチキャストサービスを受信する端末であって、
外部と無線信号を送受信する無線通信部と、
前記無線通信部に接続された制御部と、
を備え、
前記制御部は、
前記基地局から、一つ以上の第１識別子を含むブロードキャストメッセージを受信するように前記無線通信部を制御し、ここで、前記一つ以上の第１識別子のそれぞれは、前記基地局に割り当てられた１つのグループゾーンを識別し、
前記一つ以上の第１識別子にインデックスを順次に割り当て、
前記基地局から、前記マルチキャストサービスを識別する第２識別子及び前記インデックスに基づいてマルチキャストデータを受信するように前記無線通信部を制御することを特徴とする、端末。
【請求項１０】
前記ブロードキャストメッセージは、ＤＬチャネル記述子（ＤＣＤ）メッセージ又はＡＡＩ−システム構成記述子（ＳＣＤ）メッセージである、請求項９に記載の端末。
【請求項１１】
前記制御部は、前記基地局に割り当てられたグループゾーンの数だけ前記一つ以上の第１識別子に前記インデックスを反復して割り当てる、請求項９に端末。
【発明の詳細な説明】
【技術分野】
【０００１】
本明細書は、マルチキャストサービスを受信する方法及びこれを採用する端末に関する。
【背景技術】
【０００２】
機器間通信（Ｍ２Ｍ  Ｃｏｍｍｕｎｉｃａｔｉｏｎ、Ｍａｃｈｉｎｅ  Ｔｙｐｅ  Ｃｏｍｍｕｎｉｃａｔｉｏｎ）
【０００３】
以下では、機器間通信（Ｍ２Ｍ  Ｃｏｍｍｕｎｉｃａｔｉｏｎ、Ｍａｃｈｉｎｅ  Ｔｙｐｅ  Ｃｏｍｍｕｎｉｃａｔｉｏｎ）について簡略に説明する。
【０００４】
機器間通信とは、言葉の通り、電子装置と電子装置間の通信のことを意味する。すなわち、事物間の通信を意味する。一般には、電子装置間の有線或いは無線通信や、人間が制御する装置と機械間の通信を意味するが、電子装置と電子装置間、すなわち、機器間の無線通信を特別に意味する。また、セルラーネットワークで使われるＭ２Ｍ端末は、一般の端末に比べて性能や能力において劣る。
【０００５】
セル内には多数の端末が存在し、それら端末は、端末のｔｙｐｅ、ｃｌａｓｓ、ｓｅｒｖｉｃｅ ｔｙｐｅなどによって互いに区別できる。
【０００６】
一例として、端末は、端末の動作タイプによって、ＨＴＣ（Ｈｕｍａｎ  ｔｙｐｅ  ｃｏｍｍｕｎｉｃａｔｉｏｎ）のための端末とＭＴＣ（Ｍａｃｈｉｎｅ  ｔｙｐｅ  ｃｏｍｍｕｎｉｃａｔｉｏｎ）のための端末とに区別できる。ＭＴＣは、Ｍ２Ｍ端末間の通信を含む。ここで、ＨＴＣは、人間によって信号の送信が決定されて信号を送受信することを意味し、ＭＴＣは、人間の介入無しで各端末が自ら、イベント発生に応じて或いは周期的に信号を送信することを意味する。
【０００７】
また、機器間通信（Ｍ２Ｍ  ｃｏｍｍｕｎｉｃａｔｉｏｎ或いはｍａｃｈｉｎｅ  ｔｙｐｅ  ｃｏｍｍｕｎｉｃａｔｉｏｎ）が考慮されると、全体的な端末の数は急増することがある。Ｍ２Ｍ端末は、支援するサービスによって下記のような特性を有することがある。
【０００８】
１．セル内の多数の端末
【０００９】
２．少ないデータ量
【００１０】
３．低い伝送頻度数（周期性を有してもよい）
【００１１】
４．制限された数のデータ特性
【００１２】
５．時間遅延に敏感でない
【００１３】
６．低い移動性を有したり固定されている
【００１４】
また、機器間通信は、保護接続及び監視、追跡及び発見、公共安全（緊急状況、災難）、支払（自動販売機、チケット機器、パーキングメーター）、ヘルスケア、遠隔調整、スマートメーターなどの様々な分野に利用可能である。
【００１５】
アイドルモード（Ｉｄｌｅ  Ｍｏｄｅ）
【００１６】
アイドルモード（ｉｄｌｅ  ｍｏｄｅ）は、端末が広範囲な地域にわたって複数の基地局が存在する無線リンク環境を移動しても、特定基地局に登録することなく周期的に下りリンクブロードキャスト（ｂｒｏａｄｃａｓｔ）メッセージを受信できるメカニズムである。
【００１７】
アイドルモードは、ハンドオーバー（ｈａｎｄｏｖｅｒ；ＨＯ）を含め、全ての正規動作（ｎｏｒｍａｌ  ｏｐｅｒａｔｉｏｎ）を停止し、一定区間でのみブロードキャストメッセージであるページングメッセージ（ｐａｇｉｎｇ  ｍｅｓｓａｇｅ）を受信できるように下りリンク同期化（ｄｏｗｎｌｉｎｋ  ｓｙｎｃｈｒｏｎｉｚａｔｉｏｎ）のみを取っている状態である。ページングメッセージは、端末にページング動作（ｐａｇｉｎｇ  ａｃｔｉｏｎ）を指示するメッセージである。例えば、ページング動作には、レンジング実行、ネットワーク再進入（ｎｅｔｗｏｒｋ  ｒｅｅｎｔｒｙ）などがある。
【００１８】
アイドルモードは、端末により開始されることも、基地局により開始されることもある。すなわち、端末は、登録解除要請（ＤＲＥＧ−ＲＥＱ）メッセージを基地局に伝送し、それに対する応答として登録解除応答（ＤＲＥＧ−ＲＳＰ）メッセージを基地局から受信することによって、アイドルモードに進入してもよい。また、基地局が端末に非要請登録解除応答（ＤＲＥＧ−ＲＳＰ）メッセージ又は登録解除命令（ＤＲＥＧ−ＣＭＤ）メッセージを伝送することによって、アイドルモードに進入してもよい。
【００１９】
アイドルモードで端末が利用可能区間（Ａｖａｉｌａｂｌｅ  Ｉｎｔｅｒｖａｌ：ＡＩ）において自身に該当するページングメッセージ（ｐａｇｉｎｇ  ｍｅｓｓａｇｅ）を受信すると、基地局とネットワークエントリー過程を通じて接続モード（ｃｏｎｎｅｃｔｅｄ  ｍｏｄｅ）に切り替わり、データを送受信する。
【発明の概要】
【発明が解決しようとする課題】
【００２０】
本明細書に開示された実施例は、Ｍ２Ｍ通信を支援する広帯域無線通信システムにおいて、Ｍ２Ｍ端末がＭ２Ｍ Ｇｒｏｕｐ ＩＤ（ＭＧＩＤ）を用いてデータを送受信する場合に、特に、互いに異なるネットワークエンティティからそれぞれＭＧＩＤが割り当てられた互いに異なるサービスフローが同一領域で伝送される場合にそれらを区別することに関する。
【課題を解決するための手段】
【００２１】
本明細書に開示された一実施例に係る無線接続システムにおいて端末が基地局からグループ端末のためのマルチキャストサービスを受信する方法は、前記基地局から、一つ以上の第１識別子を含む放送メッセージを受信することであって、ここで、前記一つ以上の第１識別子は、前記基地局に割り当てられたグループゾーン（Ｇｒｏｕｐ  Ｚｏｎｅ）を識別し、前記一つ以上の第１識別子にインデックスを順次に割り当てることと、前記基地局から、マルチキャストサービスを識別する第２識別子及び前記インデックスに基づいてマルチキャストデータを受信することと、を含むことを特徴とする。
【００２２】
一実施例において、前記放送メッセージは、ＤＬチャネル記述子（ＤＣＤ）メッセージ又はＡＡＩ−システム構成記述子（ＳＣＤ）メッセージであることを特徴とする。
【００２３】
また、一実施例において、前記順次に割り当てることは、前記基地局に割り当てられたグループゾーンの数だけ反復されることを特徴とする。
【００２４】
また、一実施例において、前記基地局に割り当てられたグループゾーンの数は、４であることを特徴とする。
【００２５】
また、一実施例において、前記基地局に割り当てられたグループゾーンの数は、前記放送メッセージから獲得されることを特徴とする。
【００２６】
また、一実施例において、前記マルチキャストサービスを識別する第２識別子は、初期ネットワークエントリー後に、ＤＳＡ過程により前記マルチキャストサービスに割り当てられることを特徴とする。
【００２７】
また、一実施例において、前記一つ以上の第１識別子のそれぞれは、Ｍ２Ｍ（Ｍａｃｈｉｎｅ−ｔｏ−Ｍａｃｈｉｎｅ）グループゾーンＩＤであり、前記第２識別子は、ＭＧＩＤ（Ｍ２Ｍ  Ｇｒｏｕｐ  Ｉｄｅｎｔｉｆｉｅｒ）であることを特徴とする。
【００２８】
また、一実施例において、前記インデックスは、前記基地局に対して特定されることを特徴とする。
【００２９】
一方、本発明の他の実施例に係る無線接続システムにおいて基地局からグループ端末のためのマルチキャストサービスを受信する端末は、外部と無線信号を送受信する無線通信部と、前記無線通信部に接続された制御部と、を備え、前記制御部は、前記基地局から、一つ以上の第１識別子を含む放送メッセージを受信するように前記無線通信部を制御し、ここで、前記一つ以上の第１識別子は、前記基地局に割り当てられたグループゾーン（Ｇｒｏｕｐ  Ｚｏｎｅ）を識別し、前記一つ以上の第１識別子にインデックスを順次に割り当て、前記基地局から、マルチキャストサービスを識別する第２識別子及び前記インデックスに基づいてマルチキャストデータを受信するように前記無線通信部を制御することを特徴とする。
【００３０】
一実施例において、前記放送メッセージは、ＤＬチャネル記述子（ＤＣＤ）メッセージ又はＡＡＩ−システム構成記述子（ＳＣＤ）メッセージであることを特徴とする。
【００３１】
また、一実施例において、前記制御部は、前記基地局に割り当てられたグループゾーンの数だけ前記一つ以上の第１識別子に前記インデックスを反復して割り当てることを特徴とする。
【発明の効果】
【００３２】
本発明によれば、互いに異なるＭＧＩＤドメインに該当する互いに異なるサービスフローに同じＭＧＩＤが割り当てられた場合に、端末にとって效率的にそれぞれのサービスフローを他のサービスフローと区別することが可能になる。
【図面の簡単な説明】
【００３３】
【図１】無線通信システムを示すブロック図である。
【図２】無線接続システムにおける端末と基地局の内部ブロック図である。
【図３】無線通信システムにおいて初期アクセス（ｉｎｉｔｉａｌ  ａｃｃｅｓｓ）方法を示すフローチャートである。
【図４】ＭＧＩＤドメインを示す概念図である。
【図５】本明細書に開示された一実施例に係るＤＬ−ＭＡＰにおいてＭＧＩＤのフレーム構造を示す図である。
【図６】本明細書に開示された一実施例に係るマルチキャストデータ伝送過程を示すフローチャートである。
【図７】本明細書に開示された他の実施例に係るマルチキャストデータ伝送過程を示すフローチャートである。
【発明を実施するための形態】
【００３４】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線通信システムに利用可能である。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現可能である。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現可能である。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術で具現可能である。ＩＥＥＥ ８０２．１６ｍは、ＩＥＥＥ ８０２．１６ｅの進展であり、ＩＥＥＥ ８０２．１６ｅに基づくシステムとの下位互換性（ｂａｃｋｗａｒｄ  ｃｏｍｐａｔｉｂｉｌｉｔｙ）を提供する。また、８０２．１６ｐは、機器間通信（Ｍａｃｈｉｎｅ  Ｔｙｐｅ  Ｃｏｍｍｕｎｉｃａｔｉｏｎ：ＭＴＣ）を支援するための通信規格を提供する。
【００３５】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＴＲＡ）を用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進展である。
【００３６】
説明を明確にするために、ＩＥＥＥ ８０２．１６ｍを中心にして記述するが、本発明の技術的思想がこれに制限されるものではない。
【００３７】
無線通信システム−図１
【００３８】
図１は、無線通信システムを示すブロック図である。
【００３９】
無線通信システムは、音声、パケットデータなどの様々な通信サービスを提供するために広く配置される。
【００４０】
図１を参照すると、無線通信システムは、端末（Ｍｏｂｉｌｅ  ｓｔａｔｉｏｎ、ＭＳ）１０及び基地局（Ｂａｓｅ  Ｓｔａｔｉｏｎ、ＢＳ）２０を含む。端末１０は、固定していても、移動性を有してもよく、ＵＥ（Ｕｓｅｒ  Ｅｑｕｉｐｍｅｎｔ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）、ＡＭＳ（Ａｄｖａｎｃｅｄ  Ｍｏｂｉｌｅ  Ｓｔａｔｉｏｎ）などの用語と呼ばれることもある。
【００４１】
基地局２０は、一般に、端末１０と通信する固定した地点（ｆｉｘｅｄ  ｓｔａｔｉｏｎ）のことを指し、ノードＢ（ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）などの用語と呼ばれることもある。１つの基地局２０には１つ以上のセルが存在できる。
【００４２】
無線通信システムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ベースのシステムであってよい。
【００４３】
ＯＦＤＭは、複数の直交副搬送波を利用する。ＯＦＤＭは、ＩＦＦＴ（ｉｎｖｅｒｓｅ  ｆａｓｔ  Ｆｏｕｒｉｅｒ  Ｔｒａｎｓｆｏｒｍ）とＦＦＴ（ｆａｓｔ  Ｆｏｕｒｉｅｒ  Ｔｒａｎｓｆｏｒｍ）間の直交特性を利用する。送信機ではデータをＩＦＦＴを行って伝送する。受信機では受信信号に対してＦＦＴを行って元のデータに復元する。送信機は、多重副搬送波を結合するためにＩＦＦＴを利用し、受信機は、多重副搬送波を分離するために、対応するＦＦＴを利用する。
【００４４】
また、スロット（ｓｌｏｔ）は、最小限の可能なデータ割当ユニットであり、時間及びサブチャネル（ｓｕｂｃｈａｎｎｅｌ）で定義される。上りリンクにおいてサブチャネルは複数のタイル（ｔｉｌｅ）で構成可能である（ｃｏｎｓｔｒｕｃｔ）。サブチャネルは６タイルで構成され、上りリンクにおいて１つのバーストは、３ ＯＦＤＭシンボルと１サブチャネルで構成可能である。
【００４５】
ＰＵＳＣ（Ｐａｒｔｉａｌ  Ｕｓａｇｅ  ｏｆ  Ｓｕｂｃｈａｎｎｅｌｓ）順列（ｐｅｒｍｕｔａｔｉｏｎ）において、各タイルは３ ＯＦＤＭシンボル上で隣接する４副搬送波を含むとよい。選択的に、各タイルは３ ＯＦＤＭシンボル上で隣接する３副搬送波を含んでもよい。ビン（ｂｉｎ）は、ＯＦＤＭシンボル上で隣接する（ｃｏｎｔｉｇｕｏｕｓ）９副搬送波を含む。バンド（ｂａｎｄ）は、ビンの４行（ｒｏｗ）のグループを意味し、ＡＭＣ（Ａｄａｐｔｉｖｅ  ｍｏｄｕｌａｔｉｏｎ  ａｎｄ  Ｃｏｄｉｎｇ）サブチャネルは、同一のバンドで隣接する６ビンで構成される。
【００４６】
端末と基地局の内部ブロック図−図２
【００４７】
図２は、無線接続システムにおける端末と基地局の内部ブロック図である。
【００４８】
端末１０は、制御部１１、メモリー１２及び無線通信（ＲＦ）部１３を備える。
【００４９】
また、端末は、ディスプレイ部（ｄｉｓｐｌａｙ  ｕｎｉｔ）、ユーザーインターフェース部（ｕｓｅｒ  ｉｎｔｅｒｆａｃｅ  ｕｎｉｔ）なども備える。
【００５０】
制御部１１は、提案された機能、過程及び／又は方法を具現する。無線インターフェースプロトコルの各層は制御部１１により具現可能である。
【００５１】
メモリー１２は制御部１１に接続し、無線通信を実行するためのプロトコルやパラメータを格納する。すなわち、端末は、駆動システム、アプリケーション及び一般のファイルを格納する。
【００５２】
ＲＦ部１３は制御部１１に接続し、無線信号を送信及び／又は受信する。
【００５３】
さらに、ディスプレイ部は、端末の各種の情報をディスプレイし、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）などの周知の要素を採用すればよい。ユーザーインターフェース部は、キーパッドやタッチスクリーンなどの周知のユーザーインターフェースの組合せとすればよい。
【００５４】
基地局２０は、制御部２１、メモリー２２及び無線通信（ＲＦ）部２３を備える。
【００５５】
制御部２１は、提案された機能、過程及び／又は方法を具現する。無線インターフェースプロトコルの各層は、制御部２１により具現可能である。
【００５６】
メモリー２２は制御部２１に接続し、無線通信を実行するためのプロトコルやパラメータを格納する。
【００５７】
ＲＦ部２３は制御部２１に接続し、無線信号を送信及び／又は受信する。
【００５８】
制御部１１，２１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むとよい。メモリー１２，２２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリー、メモリーカード、記憶媒体及び／又は他の記憶装置を含むとよい。ＲＦ部１３，２３は、無線信号を処理するためのベースバンド回路を含むとよい。実施例がソフトウェアで具現される場合、上述した技法は、上述の機能を実行するモジュール（過程、機能など）で具現されてもよい。モジュールはメモリー１２，２２に記憶され、制御部１１，２１により実行されるとよい。
【００５９】
メモリー１２，２２は、制御部１１，２１の内部又は外部に設けられ、周知の様々な手段で制御部１１，２１に接続されるとよい。
【００６０】
初期アクセス方法−図３
【００６１】
図３は、無線通信システムにおいて初期アクセス（ｉｎｉｔｉａｌ  ａｃｃｅｓｓ）方法を示すフローチャートである。
【００６２】
図３を参照すると、端末１０は、電源をつけて初期アクセスをするために、まず、下りリンクチャネルをスキャンして接続可能な基地局を探索する。この時、端末は、初期にネットワーク地理又は構成に関する情報がないから、周辺基地局の周波数をいちいちスキャンする。
【００６３】
そして、端末１０は、探索された基地局２０から、下りリンクと上りリンクに関するシステム情報を獲得し、全てのシステム設定を終えた後（Ｓ３１０）、図３に示すように、探索された基地局とレンジング手順を行う。端末は、任意のＣＤＭＡレンジングコードを選択して基地局に伝送する競合ベース（ｃｏｎｔｅｎｔｉｏｎ−ｂａｓｅｄ）の方法で基地局とレンジングを行い、上りリンクに対する同期を取る（Ｓ３２０）。
【００６４】
同期が完全に取れるまで基地局は、端末が補正すべき変数値をレンジング応答（ｒａｎｇｉｎｇ  ｒｅｓｐｏｎｓｅ、ＲＮＧＲＳＰ）メッセージを用いて知らせる。変数値を補正する間にレンジング応答メッセージは、状態（ｓｔａｔｕｓ）が「ｃｏｎｔｉｎｕｅ」に設定され、変数値補正が終わると、基地局は、状態が「ｓｕｃｃｅｓｓ」であるレンジング応答メッセージを伝送する。
【００６５】
この時、基地局２０が端末１０に伝送するＲＮＧ−ＲＳＰメッセージには、端末から受信したレンジング要請コードに基づいて基地局が計算した端末の電力オフセット情報、タイミングオフセット情報及びデータ送受信周波数オフセット情報が含まれており、以降、端末は、この情報に基づいて基地局へのデータ伝送を行う。
【００６６】
レンジングコードによるレンジング要請が成功的に行われたことをＲＮＧ−ＲＳＰメッセージから確認した後、端末は、レンジング要請（Ｒａｎｇｉｎｇ  Ｒｅｑｕｅｓｔ；以下、ＲＮＧ−ＲＥＱ）メッセージを基地局に送信し（Ｓ３２１）、基地局は、これに対応するＲＮＧ−ＲＳＰメッセージを端末に送信する（Ｓ３２２）。
【００６７】
基地局からＲＮＧ−ＲＳＰメッセージを受信した端末は、基地局とのデータ送受信のために端末が支援可能な様々なパラメータ及び認証方式に関する情報を含む端末基本機能要請（Ｓｕｂｓｃｒｉｂｅｒ  ｓｔａｔｉｏｎ  Ｂａｓｉｃ  Ｃａｐａｂｉｌｉｔｙ  Ｒｅｑｕｅｓｔ；以下、ＳＢＣ−ＲＥＱ）メッセージを基地局に伝送する（Ｓ３３０）。
【００６８】
端末からＳＢＣ−ＲＥＱメッセージを受信した基地局は、ＳＢＣ−ＲＥＱメッセージに含まれる、端末が支援するパラメータ及び認証方式と、基地局が支援するパラメータ及び認証方式とを比較する。この比較の結果、基地局は、基地局とのデータ送受信のために端末が利用するパラメータ及び認証方式を決定し、このパラメータ及び認証方式を含む端末基本機能応答（Ｓｕｂｓｃｒｉｂｅｒ  ｓｔａｔｉｏｎ  Ｂａｓｉｃ  Ｃａｐａｂｉｌｉｔｙ  Ｒｅｓｐｏｎｓｅ、以下、ＳＢＣ−ＲＳＰ）メッセージを端末に伝送する（Ｓ３４０）。
【００６９】
端末は、基地局との基本能力交渉（Ｂａｓｉｃ  Ｃａｐａｂｉｌｉｔｙ  ｎｅｇｏｔｉａｔｉｏｎ）を完了し、以降、基地局と本格的な認証手順（Ａｕｔｈｅｎｔｉｃａｔｉｏｎ  Ｐｒｏｃｅｄｕｒｅ）を行う。すなわち、端末と基地局は互いに認証し、認証キー（ａｕｔｈｏｒｉｚａｔｉｏｎ  ｋｅｙ）を交換する（Ｓ３５０）。
【００７０】
続いて、端末は基地局と登録要請（Ｒｅｇｉｓｔｒａｔｉｏｎ  Ｒｅｑｕｅｓｔ；ＲＥＧ−ＲＥＱ）メッセージ及び登録応答（Ｒｅｇｉｓｔｒａｔｉｏｎ  Ｒｅｓｐｏｎｓｅ；ＲＥＧ−ＲＳＰ）メッセージを交換することで基地局登録手順を行う（Ｓ３６０、Ｓ３７０）。
【００７１】
端末と基地局との登録がなされた後、ＩＰ接続（ｃｏｎｎｅｃｔｉｖｉｔｙ）を確立し、時刻（ｔｉｍｅ  ｏｆ  ｄａｙ）を確立し、その他の動作パラメータを伝送する。これで、端末と基地局間の接続がセットアップされる。
【００７２】
機器間通信（Ｍ２Ｍ）
【００７３】
以下では、機器間通信（Ｍ２Ｍ  Ｃｏｍｍｕｎｉｃａｔｉｏｎ）について簡略に説明する。
【００７４】
機器間（ｍａｃｈｉｎｅ  ｔｏ  ｍａｃｈｉｎｅ：Ｍ２Ｍ）通信とは、言葉の通り、電子装置と電子装置間の通信のことを意味する。すなわち、事物間の通信を意味する。一般に、電子装置間の有線或いは無線通信や、人間が制御する装置と機械間の通信を意味するが、特別には、電子装置と電子装置間、すなわち、機器間の無線通信を意味する。また、セルラーネットワークで使われるＭ２Ｍ端末は、一般の端末に比べて性能や能力において劣る。
【００７５】
また、Ｍ２Ｍ環境の特徴は、下記の通りである。
【００７６】
１．セル内の多数の端末
【００７７】
２．少ないデータ量
【００７８】
３．低い伝送頻度数
【００７９】
４．制限された数のデータ特性
【００８０】
５．時間遅延に敏感でない
【００８１】
セル内には多数の端末が存在し、それら端末は、端末のｔｙｐｅ、ｃｌａｓｓ、ｓｅｒｖｉｃｅ ｔｙｐｅなどによって互いに区別可能である。特に、機器間通信（或いは、ＭＴＣ（ｍａｃｈｉｎｅ  ｔｙｐｅ  ｃｏｍｍｕｎｉｃａｔｉｏｎ））が考慮される場合、全体的な端末の数は急増することになる。Ｍ２Ｍ端末は、支援するサービスによって下記のような特性を有することがある。
【００８２】
１．間欠的にデータを伝送する。この時、周期性を有してもよい。
【００８３】
２．低い移動度（Ｌｏｗ  ｍｏｂｉｌｉｔｙ）を有したり、固定されている。
【００８４】
３．一般に、信号伝送における遅延（ｌａｔｅｎｃｙ）に敏感でない。
【００８５】
上記の特性を有するセル内の多数のＭ２Ｍ端末は、互いにマルチホップ（ｍｕｌｔｉ−ｈｏｐ）構成を用いたり階層的構造を用いたりして、端末同士間に或いは基地局と信号を送受信することができる。
【００８６】
すなわち、基地局から信号を受信し、それを他の階層或いは下位に存在するＭ２Ｍ端末に伝送したり、他のＭ２Ｍ端末から信号を受信し、それをさらに他のＭ２Ｍ端末や基地局に送信したりできる。又は、リレー以外の端末間に直接通信を行うこともできる。
【００８７】
このような包括的な意味のＭ２Ｍ端末同士間の信号伝送のために、それぞれのＭ２Ｍ端末は互いに上／下位の構造形態で接続されて信号を伝送すればよい（端末間直接通信では上／下位概念がなくてもよいが、上／下位概念を同様に適用して説明してもよい）。
【００８８】
一例として、下りリンク伝送の観点で、基地局が伝送した信号をＭＳ １が受信し、それをＭＳ２に伝送する。この時、ＭＳ １は、ＭＳ ２に加え、下位における他の端末（ＭＳ）にも信号を伝送できる。ここで、ＭＳ ２はＭＳ １の下位にある端末のことをいう。
【００８９】
ＭＳ １から信号を受信したＭＳ ２は、受信した信号を下位のＭＳに伝送し、このような方法でＭＳ Ｎまで伝送する。ここで、ＭＳ ２とＭＳ Ｎ間には、多数の端末がマルチホップの形態或いは階層的に接続されていればよい。
【００９０】
他の例として、上りリンク伝送の観点で、Ｍ２Ｍ端末間の信号伝送のために次のように信号を伝送すればよい。下位に位置するＭ２Ｍ端末は、上位のＭ２Ｍ端末を用いて他のＭ２Ｍ端末或いは基地局に信号を伝送できる。
【００９１】
Ｍ２Ｍシステムで使われる用語を整理すると、下記の通りである。
【００９２】
（１）Ｍａｃｈｉｎｅ−ｔｏ−Ｍａｃｈｉｎｅ（Ｍ２Ｍ）通信：基地局を介してユーザー装置同士間で、又は基地局を介してコアネットワーク内のサーバーと装置間で、人の介入無しで行われる情報交換のことをいう。
【００９３】
（２）Ｍ２Ｍ ＡＳＮ：Ｍ２Ｍサービスを支援できるアクセスサービスネットワークのことをいう。
【００９４】
（３）ＭＥＭデバイス（Ｍ２Ｍ  Ｄｅｖｉｃｅ）：Ｍ２Ｍ機能を有する（又は支援する）端末のことをいう。
【００９５】
（４）Ｍ２Ｍ加入者（Ｍ２Ｍ  ｓｕｂｓｃｒｉｂｅｒ）：Ｍ２Ｍサービスの消費者をいう。
【００９６】
（５）Ｍ２Ｍサーバー（Ｍ２Ｍ  Ｓｅｒｖｅｒ）：Ｍ２Ｍ装置と通信できるエンティティをいう。Ｍ２Ｍサーバーは、Ｍ２Ｍ加入者が接続できるインターフェースを提供する。
【００９７】
（６）Ｍ２Ｍ特徴（Ｍ２Ｍ  ｆｅａｔｕｒｅ）：Ｍ２Ｍ ＡＳＮにより支援されるＭ２Ｍアプリケーションの独特の特性をいう。一つ以上の特徴がアプリケーションを支援するために要求されることがある。
【００９８】
（７）Ｍ２Ｍグループ：共通及び／又は同一のＭ２Ｍ加入者を含む、すなわち、一つ以上の特徴を共有するＭ２Ｍ端末のグループをいう。
【００９９】
以下では、８０２．１６（特に、１６ｍ）システムを挙げて説明するが、本明細書で提案する方法は８０２．１６ｍシステムに限定されるものではなく、ＬＴＥ、ＬＴＥ−Ａなどのシステムにも同様の適用が可能である。
【０１００】
Ｍ２ＭグループＩＤ（ＭＧＩＤ）、ＭＧＩＤ Ｚｏｎｅ ＩＤ及びＭ２Ｍ端末（又は装置）ＩＤ（ＭＤＩＤ）の定義
【０１０１】
本発明の実施例に係るＭ２Ｍ端末は、一つ以上のＭ２Ｍグループに属する。Ｍ２Ｍグループは、一つ以上の特徴（ｆｅａｔｕｒｅ）を共有するＭ２Ｍ端末のグループである。例えば、Ｍ２Ｍグループは、特定の応用サービスを受ける端末の集合であってよい。各Ｍ２ＭグループにはＭ２Ｍグループ識別子（Ｍ２Ｍ  ｇｒｏｕｐ  ＩＤ；ＭＧＩＤ）が割り当てられ、ＭＧＩＤは、ネットワークエンティティ（ｎｅｔｗｏｒｋ  ｅｎｔｉｔｙ）で特定Ｍ２Ｍグループを唯一に識別する。ここで、ネットワークエンティティの一例にはＭ２Ｍサーバーがある。
【０１０２】
Ｍ２Ｍグループ識別子（ＭＧＩＤ）はネットワークエンティティにより割り当てられ、初期ネットワーク進入後、ＤＳＡ過程により、Ｍ２Ｍ端末のサービスフロー（ｓｅｒｖｉｃｅ  ｆｌｏｗ）に対して割り当てられるとよい。又は、他の過程により割り当てられてもよい。割り当てられたＭＧＩＤは、端末がネットワークを離れたり、又はネットワークがＭＧＩＤに関連したサービスフローを削除しない限り、Ｍ２Ｍ端末に維持される。ＭＧＩＤは動的サービス変更（ｄｙｎａｍｉｃ  ｓｅｒｖｉｃｅ  ｃｈａｎｇｅ；ＤＳＣ）過程により変更されてもよい。
【０１０３】
機器間（Ｍ２Ｍ）通信を支援するシステムにおいてＭ２Ｍ端末（Ｍ２Ｍ  ｄｅｖｉｃｅ）には、各Ｍ２Ｍ端末の属したＭ２Ｍグループ（Ｍ２Ｍ  ｇｒｏｕｐ）を表すＭＧＩＤ（Ｍ２Ｍ Ｇｒｏｕｐ ＩＤ）、及びＭ２Ｍグループに属しているＭ２Ｍ端末を区別するためのＭ２ＭデバイスＩＤが割り当てられる。
【０１０４】
ここで、ＭＧＩＤは、セル内でそれぞれのＭ２Ｍグループを区別するために用いられる識別子のことを指し、Ｍ２ＭデバイスＩＤは、Ｍ２Ｍデバイスの属しているグループで各Ｍ２Ｍデバイスを区別するために用いられる識別子のことを指す。
【０１０５】
Ｍ２Ｍ端末は、初期ネットワークエントリー（ｉｎｉｔｉａｌ  ｎｅｔｗｏｒｋ  ｅｎｔｒｙ）の際、機器間通信支援システムから基地局との通信で使用するＭ２Ｍ Ｇｒｏｕｐ ＩＤ及びＭ２ＭデバイスＩＤが割り当てられる。ここで、機器間通信支援システムは、基地局又はネットワークに接続したネットワークエンティティを指し、このネットワークエンティティの一例にはＭ２Ｍサーバーがある。
【０１０６】
Ｍ２Ｍグループゾーン識別子（Ｍ２Ｍ  Ｇｒｏｕｐ  Ｚｏｎｅ  ＩＤｅｎｔｉｆｉｅｒ）は、ＭＧＩＤを割り当てるネットワークエンティティを区別する識別子である。一つのＭ２Ｍグループには一つ以上の基地局が含まれ、一つの基地局は一つ以上のＭ２Ｍグループに属すればよい。一つのＭ２Ｍグループ内でサービスフローとＭＧＩＤとのマッピング（ｍａｐｐｉｎｇ）関係は同一であり、互いに異なるＭ２Ｍグループ間にはサービスフローとＭＧＩＤとのマッピング関係が異なることがある。異なったＭＧＩＤ Ｚｏｎｅ ＩＤを持つそれぞれのグループゾーンにおいて、ＭＧＩＤは個別に管理される。そのため、グループゾーンが重なる領域において、互いに異なるサービスフローに同一のＭＧＩＤが割り当てられることがある。以下では、このような状況で端末がそれぞれのサービスフローを他のサービスフローと区別するための方法について説明する。
【０１０７】
概念図−図４
【０１０８】
図４は、ＭＧＩＤドメインを示す概念図である。
【０１０９】
すなわち、従来技術によれば、ＭＧＩＤドメイン（グループゾーン）に関する詳細な定義が存在しない。そのため、互いに異なるＭＧＩＤドメインが重なることがあり、図４に示すＡＳＮ ２のような領域では、異なるサービスフローのそれぞれに割り当てられたＭＧＩＤとして同一の値が使われることがある。互いに異なるサービスフローから生成されたデータは、互いに異なるＭＧＩＤで区別されるべきであるが、従来技術ではそれが区別できないという不具合があった。
【０１１０】
以下では、マルチキャストデータを伝送する途中に互いに異なるＭＧＩＤドメインにおいてＭＧＩＤを指示する方法を説明する。
【０１１１】
第１方法
【０１１２】
第１方法は、マルチキャストメッセージが伝送される領域を知らせるＤＬ−ＭＡＰにおいて、ＭＧＩＤに加え、ＭＧＩＤドメインＩＤも区別できるようにする。
【０１１３】
図５は、本明細書に開示された一実施例に係るＤＬ−ＭＡＰにおいてＭＧＩＤのフレーム構造を示す図である。
【０１１４】
ＭＧＩＤは、１６ビットＣＲＣマスキングを用いてブラインドデコーディング（ｂｌｉｎｄ  ｄｅｃｏｄｉｎｇ）により認識される。ＭＧＩＤは１５ビットで定義されているため、１ビットの空間が残るようになる。この１ビットを用いて、互いに異なる２個のＭＧＩＤドメインを区別可能にすればよい。もし、ＭＧＩＤドメインが３個以上重なる場合は、ＤＬ−ＭＡＰにＭＧＩＤドメインＩＤを知らせるためのフィールドが追加されるだろう。
【０１１５】
第２方法
【０１１６】
第２方法は、互いに異なるＭＧＩＤドメインで伝送されるマルチキャストデータが、定められたフレーム（サブフレーム）で伝送されるように時間を分ける。
【０１１７】
すなわち、互いに異なるＭＧＩＤドメインで伝送されるマルチキャストデータを互いに区別するために、それぞれ定められたフレーム又はサブフレームで伝送されるようにする。端末は、それぞれのＭＧＩＤドメインで伝送されるマルチキャストデータがどのフレーム又はサブフレームで伝送されるかをあらかじめ知っていなければならない。
【０１１８】
下記の式１及び２により、ＭＧＩＤドメインＩＤによるフレーム又はサブフレームの位置を決定する。
【０１１９】
式１
MGIDドメインID%4 = マルチキャストデータ伝送フレーム位置番号(1スーパーフレーム=4フレーム)
【０１２０】
式２
MGIDドメインID%(4*DLサブフレーム数) = マルチキャストデータ伝送サブフレーム位置番号
【０１２１】
(4*DLサブフレーム=スーパーフレーム内における全てのDLサブフレーム数)
【０１２２】
一方、明示的なシグナリングを用いて、基地局は、ＭＧＩＤを割り当てるメッセージ（例えば、ＤＳＡ−ＲＥＱ／ＲＳＰ）でＭＧＩＤドメインＩＤと共に特定フレーム（又はサブフレーム）の位置を端末に知らせてもよい。
【０１２３】
第３方法
【０１２４】
第３方法は、ＭＧＩＤを用いてデータを受信する端末は、接続モード（ｃｏｎｎｅｃｔｅｄ  ｍｏｄｅ）にある端末であってもページングメッセージを毎度受信するようにし、ページングメッセージは、ＭＧＩＤを用いて端末を起床させる場合には、常にＭＧＩＤドメインＩＤを共に伝送するようにする。
【０１２５】
図６は、本明細書に開示された一実施例に係るマルチキャストデータ伝送過程を示すフローチャートである。
【０１２６】
ページングメッセージにおいてＭＧＩＤを用いて同一のＭ２Ｍグループに属する端末を起床させる場合、同一のＭ２Ｍグループに属する端末が必ずしもアイドルモード（ｉｄｌｅ  ｍｏｄｅ）にあるとは限らない。接続モード（Ｃｏｎｎｅｃｔｅｄ  ｍｏｄｅ）にある端末もあれば、アイドルモード（ｉｄｌｅ  ｍｏｄｅ）にある端末もあるから、同一のＭ２Ｍグループに属する全ての端末に同一のマルチキャストメッセージを伝送するためには、まず、アイドルモードの端末にマルチキャストデータが伝送されることを知らせなければならない。
【０１２７】
接続モードにある端末であっても、自身に割り当てられたＭＧＩＤに対するページングメッセージを認識できる。したがって、基地局はページングメッセージ内でのみＭＧＩＤドメインＩＤを知らせる代わりに、特定Ｍ２Ｍグループに属する端末は、接続モード端末であっても、ページングメッセージ（ｐａｇｉｎｇ  ｍｅｓｓａｇｅ）を確認してこそマルチキャストデータ（ｍｕｌｔｉｃａｓｔ  ｄａｔａ）を受信するようにする（Ｓ４１０）。
【０１２８】
互いに異なるＭＧＩＤドメインＩＤから伝送される同一のＭＧＩＤに対するマルチキャストデータは、基地局のスケジューリングにより、互いに異なる時点に伝送されるようにする。すなわち、第１区間では、第１ＭＧＩＤドメインＩＤに該当するマルチキャストデータが基地局から端末に伝送され（Ｓ４２０）、第２区間では、第２ＭＧＩＤドメインＩＤに該当するマルチキャストデータが基地局から端末に伝送される（Ｓ４３０）。
【０１２９】
第４方法
【０１３０】
第４方法は、第２方法においてＭＧＩＤ Ｚｏｎｅ ＩＤの数をｎとする。
【０１３１】
図７は、本明細書に開示された他の実施例に係るマルチキャストデータ伝送過程を示すフローチャートである。
【０１３２】
ＭＧＩＤ Ｚｏｎｅ ＩＤは、ＤＣＤ（ＤＬ  Ｃｈａｎｎｅｌ  Ｄｅｓｃｒｉｐｔｏｒ）又はＳＣＤ（Ｓｙｓｔｅｍ  Ｃｏｎｆｉｇｕｒａｔｉｏｎ  Ｄｅｓｃｒｉｐｔｏｒ）のようなブロードキャストメッセージで伝送され、これにより、端末は、当該基地局がいくつのＭＧＩＤ Ｚｏｎｅ ＩＤを有しているかを知る（Ｓ５１０）。
【０１３３】
端末は、ＤＣＤ又はＳＣＤで伝送されるＭＧＩＤ Ｚｏｎｅ ＩＤのＢＳ ＭＧＩＤ Ｚｏｎｅ ＩＤを０からｎ−１まで新しく割り当てる（Ｓ５２０）。例えば、最も低いＭＧＩＤ Ｚｏｎｅ ＩＤは０、２番目に低いＭＧＩＤ Ｚｏｎｅ ＩＤは１、最も高いＭＧＩＤ Ｚｏｎｅ ＩＤはｎ−１となる。
【０１３４】
したがって、端末は、基地局に割り当てられたグループゾーンの個数だけ、各グループゾーンに順次にインデックスを割り当てることができる。ここで、第２方法で説明した通り、基地局に割り当てられたグループゾーンの個数は４でよい。そして、このインデックスは各基地局に対して特定に割り当てられるとよい。
【０１３５】
端末は、段階Ｓ５２０で割り当てられたインデックスと基地局から割り当てられたＭＧＩＤを用いて基地局からマルチキャストデータを受信する（Ｓ５３０）。この時、端末は、第２方法で説明した演算から、ＭＧＩＤ Ｚｏｎｅ ＩＤに対するマルチキャストデータが伝送されるフレーム又はサブフレームがわかる。
【０１３６】
すなわち、下記の式３及び式４は、ＭＧＩＤドメインＩＤによるフレーム又はサブフレームの位置を決定する。
【０１３７】
式３
MGIDドメインID%n = マルチキャストデータ伝送フレーム位置番号(1スーパーフレーム=nフレーム)
【０１３８】
式４
MGIDドメインID%(n*DLサブフレーム数) = マルチキャストデータ伝送サブフレーム位置番号
【０１３９】
(n*DLサブフレーム=スーパーフレーム内における全てのDLサブフレーム数)
【０１４０】
一方、明示的なシグナリングを用いて、基地局は、ＭＧＩＤを割り当てるメッセージ（例えば、ＤＳＡ−ＲＥＱ／ＲＳＰ）でＭＧＩＤドメインＩＤと共に特定フレーム（又はサブフレーム）の位置を端末に知らせてもよい。
【０１４１】
第５方法
【０１４２】
第５方法は、ＭＡＣヘッダー（ＭＡＣ  ｈｅａｄｅｒ）でＭ２Ｍ Ｇｒｏｕｐ Ｚｏｎｅ ＩＤを伝送する。
【０１４３】
もし、Ｍ２Ｍ Ｇｒｏｕｐ Ｚｏｎｅ ＩＤを一つ以上持つ基地局であるとすれば、特定ＭＧＩＤがどのＭ２Ｍ Ｇｒｏｕｐ Ｚｏｎｅ ＩＤから割り当てられた値であるかを知らせるための方法としてＭＡＣヘッダーを利用する。
【０１４４】
Ｍ２Ｍ Ｇｒｏｕｐ Ｚｏｎｅ ＩＤ拡張ヘッダー（Ｅｘｔｅｎｄｅｄ  Ｈｅａｄｅｒ）を用いて、伝送されるデータに対するＭＧＩＤを割り当てたＭ２Ｍ Ｇｒｏｕｐ Ｚｏｎｅ ＩＤを伝送できる。Ｍ２Ｍ Ｇｒｏｕｐ Ｚｏｎｅ ＩＤ拡張ヘッダーのフォーマットは、下記の表１の通りである。
【０１４５】
【表１】
0005883142.tif 000002
【０１４６】
端末は、当該拡張ヘッダーが伝送されるデータを受信し、自身の現在ＭＧＩＤを割り当てたＭ２Ｍ Ｇｒｏｕｐ Ｚｏｎｅ ＩＤでない場合は、当該データを無視し、自身の現在ＭＧＩＤを割り当てたＭ２Ｍ Ｇｒｏｕｐ Ｚｏｎｅ ＩＤが一致する場合にのみ、当該データを上位端に伝送する。
【０１４７】
８０２．１６ｅベースのＭ２Ｍデバイスの場合、拡張サブヘッダータイプ（ｅｘｔｅｎｄｅｄ  ｓｕｂｈｅａｄｅｒｓ  ｔｙｐｅｓ）（ＤＬ）が新しく定義され、上記のような方法で使用されるとよい。
【０１４８】
ＬＴＥベースのＭ２Ｍデバイスの場合、新しいＭＡＣ又はＰＤＣＰヘッダーでのＭ２Ｍ Ｇｒｏｕｐ Ｚｏｎｅ ＩＤ制御エレメントが定義され、上記のような方法で使用されるとよい。
【０１４９】
一方、Ｍ２Ｍ Ｇｒｏｕｐ Ｚｏｎｅが重なる場合、基地局が端末にＭＧＩＤを（再）割当する時、基地局は、当該ＭＧＩＤがどのゾーンに固有な値であるかを端末に知らせなければならない。すなわち、ＤＳＡ、ＤＳＣ、ＰＡＧ−ＡＤＶ、ＲＮＧ−ＲＳＰメッセージでＭＧＩＤを（再）割当する時、基地局は端末にＭ２Ｍ Ｇｒｏｕｐ Ｚｏｎｅ ＩＤを共に伝送しなければならない。
【０１５０】
これは、基地局が一つ以上のＭ２Ｍ Ｇｒｏｕｐ Ｚｏｎｅ ＩＤを持つ場合にのみ伝送すればよく、もしＭ２Ｍ Ｇｒｏｕｐ Ｚｏｎｅ ＩＤが伝送されない場合は、端末は、割り当てられるＭＧＩＤのＭ２Ｍ Ｇｒｏｕｐ Ｚｏｎｅ ＩＤとしては、現在ＭＧＩＤを割り当てる基地局のＭ２Ｍ Ｇｒｏｕｐ Ｚｏｎｅ ＩＤを参照すればよい。すなわち、ＡＡＩ−ＳＣＤ、ＤＣＤ又は他のメッセージで伝送される値を参照すればよい。
【０１５１】
本明細書で使われる技術的用語は、特定の実施例を説明するためのものに過ぎず、本発明を限定する意図のものでないことに留意されたい。また、本明細書で使われる技術的用語は、本明細書で別の意味と定義しない限り、本発明の属する技術の分野における通常の知識を有する者にとって一般に理解される意味として解釈されなければならず、過度に包括的な意味で解釈されたり、過度に縮小した意味で解釈されてはならない。また、本明細書で使われる技術的用語が本発明の思想を正確に表現できない誤った技術的用語となっている場合は、当業者が正確に理解できるような技術的用語に言い替えて理解されるべきであろう。また、本発明で使われる一般的な用語は、辞書に定義された通りに、又は前後文脈から解釈されるべきであり、過度に縮小した意味で解釈されてはならない。
【０１５２】
また、本明細書で使われる単数の表現は、文脈上明白に言及しない限り、複数の表現をも含む。本出願で、「構成される」又は「含む」などの用語は、明細書上に記載された諸構成要素、又は諸段階の全てを必ず備えるものと解釈されてはならず、その一部構成要素又は一部段階は備えられないこともあり、又は追加的な構成要素又は段階がさらに備えられることもあると解釈されなければならない。
【０１５３】
また、本明細書で使われる第１、第２などのように、序数を含む用語は、様々な構成要素を説明するのに使われてよいが、それら構成要素を限定するものではない。すなわち、これらの用語は、一つの構成要素を他の構成要素から区別する目的にのみ使われる。例えば、本発明の権利範囲から逸脱することなく、第１構成要素は第２構成要素と命名されてもよく、同様に、第２構成要素も第１構成要素と命名されてもよい。
【０１５４】
一構成要素が他の構成要素に「連結」又は「接続」されていると言及された場合は、他の構成要素に直接に連結又は接続されている場合もあれば、両者間にさらに他の構成要素が存在する場合もある。一方、一構成要素が他の構成要素に「直接連結」又は「直接接続」されていると言及された場合は、両者間にさらに他の構成要素が存在しないことと理解されるべきである。
【０１５５】
以上、添付の図面を参照して本発明の好適な実施例を詳しく説明してきた。図面中、同一又は類似の構成要素には同じ参照番号を付し、重複する内容についての説明は省略した。また、本発明を説明する上で関連の公知技術についての具体的な説明が本発明の要旨を曖昧にすると判断される場合は、その詳細な説明を省略した。また、添付の図面は、本発明の思想を容易に理解させるためのもので、本発明の思想を制限するものと解釈されてはならない。本発明の思想は、添付の図面に加え、あらゆる変更、均等物又は代替物にまで拡張されるものと解釈されなければならない。
【図１】
0005883142.tif 000003
【図２】
0005883142.tif 000004
【図３】
0005883142.tif 000005
【図４】
0005883142.tif 000006
【図５】
0005883142.tif 000007
【図６】
0005883142.tif 000008
【図７】
0005883142.tif 000009